(57)【特許請求の範囲】
【請求項１】
自動マッピング更新のコンピュータアダプターは、ユニバーサルシリアルバス(USB)コネクターを備える複数の周辺装置と複数のコンピュータを接続後に、確実に互換させることができるコンピュータアダプターで、
周辺インターフェースマイクロプロセッサーチップと複数のコンピュータインターフェースマイクロプロセッサーチップを備え、
前記周辺インターフェースマイクロプロセッサーチップは、複数の周辺装置に電気的に接続し、しかも前記周辺インターフェースマイクロプロセッサーチップは、CPUをシミュレートし、複数の周辺装置に対して、完全なUSB標準プロセスコミュニケーションを行った後、前記周辺インターフェースマイクロプロセッサーチップは、周辺装置の必要データを読み取り、保存し、次にマッピングし、前記複数のコンピュータインターフェースマイクロプロセッサーチップに伝送し、コンピュータアダプターを再起動する、或いは周辺装置を抜き差しする時には、前記周辺インターフェースマイクロプロセッサーチップは、再度、周辺装置の必要データを読み取り、保存し、さらに、新旧の必要データを比較対照し、異なる周辺装置の必要データをマッピングし、複数のコンピュータインターフェースマイクロプロセッサーチップに更新し、
前記複数のコンピュータインターフェースマイクロプロセッサーチップと複数のコンピュータのユニバーサルシリアルバス(USB)接続ポートは、それぞれ電気的接続を形成し、しかも前記複数のコンピュータインターフェースマイクロプロセッサーチップは、前記周辺インターフェースマイクロプロセッサーチップが伝送する周辺装置の必要データを受け取った後、前記各コンピュータインターフェースマイクロプロセッサーチップは、周辺装置必要データを、相互に接続する各コンピュータ中に伝送することを特徴とする自動マッピング更新のコンピュータアダプター。
【請求項２】
請求項１記載の自動マッピング更新のコンピュータアダプターにおいて、前記周辺装置の必要データは、構文解析、エニュメレーション、種類、形態、或いは他の必要データであることを特徴とする自動マッピング更新のコンピュータアダプター。
【請求項３】
自動マッピング更新のコンピュータアダプターは、ユニバーサルシリアルバス(USB)コネクターを備える複数の周辺装置と複数のコンピュータを接続後に、確実に互換させることができるコンピュータアダプターで、
周辺インターフェースマイクロプロセッサーチップ、複数のコンピュータインターフェースマイクロプロセッサーチップ、USBハブチップ、ユニバーサルシリアルバス（USB）線スイッチチップを備え、
前記周辺インターフェースマイクロプロセッサーチップは、USBハブチップに電気的に接続し、しかも前記周辺インターフェースマイクロプロセッサーチップは、USBハブチップが伝送するデータを獲得、プロファイルし、保存後、前記データを前記複数のコンピュータインターフェースマイクロプロセッサーチップに伝送し、
前記複数のコンピュータインターフェースマイクロプロセッサーチップと複数のコンピュータのユニバーサルシリアルバス(USB)接続ポートは、それぞれ電気的接続を形成し、しかも前記複数のコンピュータインターフェースマイクロプロセッサーチップは、前記周辺インターフェースマイクロプロセッサーチップが伝送する周辺装置の必要データを受け取り、保存した後、前記各コンピュータインターフェースマイクロプロセッサーチップは、周辺装置必要データを、相互に接続する各コンピュータ中に伝送し、
前記USBハブチップは複数の周辺装置に電気的に接続し、しかも前記USBハブチップは、複数の周辺装置の必要データを受け取った後、前記ユニバーサルシリアルバス（USB）線スイッチチップ及び前記周辺インターフェースマイクロプロセッサーチップに伝送し、
前記ユニバーサルシリアルバス（USB）線スイッチチップは、前記複数のコンピュータインターフェースマイクロプロセッサーチップに電気的に接続し、しかも前記ユニバーサルシリアルバス（USB）線スイッチチップは、受け取った周辺装置必要データを、予定のコンピュータインターフェースマイクロプロセッサーチップに伝送することを特徴とする自動マッピング更新のコンピュータアダプター。
【発明の詳細な説明】
【技術分野】
【０００１】
本発明は自動マッピング更新のコンピュータアダプターに関し、特に周辺インターフェースマイクロプロセッサーチップが、ユニバーサルシリアルバス（USB）コネクターを備える周辺装置の必要データを、読み取り、保存した後、さらに複数のコンピュータインターフェースマイクロプロセッサーチップに伝送し内部に保存し、これにより各コンピュータは接続したコンピュータインターフェースマイクロプロセッサーチップ内より読み取り、複数の周辺装置の必要データを取得することができ、このようにして複数の周辺装置は各コンピュータと確実に互換される自動マッピング更新のコンピュータアダプターに関する。
【背景技術】
【０００２】
仕事の関係で、または新機種との入れ替えで、１台のコンピュータが使用の必要を満たすことができなくなった時、最も簡単に思いつくのは、新たにコンピュータを買い増し、或いは旧機種を使い続ける方法だろう。
しかし、空間と予算に制限がある状況では、これまでは、この考え方は実現が不可能であった。
けれど、最近のIT技術の発展に伴い、新しいコンピュータを買い増す、或いは旧機種を使い続けながら、別にKVMスイッチ(Keyboard Video Mouse Switch)を買い直列接続するだけで、２台以上のコンピュータCPUが、キーボード、マウス、モニター、スピーカー、マイク、及び各種外付け式の周辺電子設備を共用可能となっている。
これにより、使用者はより広々とした作業空間を持つことで、作業の効率を向上させ、さらには別に周辺設備を購入するための費用を節減することもできる。
【０００３】
いわゆるKVMスイッチとは、キーボード(Keyboard)、ディスプレー(Video)、マウス(Mouse)のスイッチである。
つまり、使用者は同一のキーボード、ディスプレー、マウスにより、数台のコンピュータにおいて画面の切り替え操作を行うことができ。
これにより、多数のコンピュータを使用する環境の操作設備をシンプルにすることができ、使用者は迅速な切り替え方式を通して、異なるコンピュータ或いはサーバーの管理を迅速行うことができ、もともとのコンピュータ上での作業を中断する必要もないため、使用における利便性を向上させることができる。
【０００４】
しかし、一般に市販されているユニバーサルシリアルバス（USB）型式のコンピュータアダプターは、すべての型式のUSBデバイスをサポートすることができない。
そのため、使用時に、多機能マウス、キーボード、ジョイスティック、タッチパネル、或いは他のUSBヒューマンインターフェースデバイス(HID)等と、互換できず、接続できないという状況がしばしば出現する。
よって、USBデバイスのエニュメレーション、構文解析、或いは他の構造コンフィグレーションは、シミュレーションを採用し、プリセットのコンピュータインターフェース規定フォーマットに転換されるため、すべての種類、型式のUSBデバイスに適用することはできない。しかも、一般のコンピュータアダプターは、USBハブチップ(USB Hub)を通さなければマウス、キーボード以外のUSBデバイスに接続することはできない。
【０００５】
上記したような問題に遭遇した時には、互換性のあるUSBデバイスに交換する他、コンピュータアダプターの中には、コントロールプログラムをバージョンアップ(シミュレーション及び転換内容を拡大)し、問題を解決するものもある。
しかし、両者共に、USBデバイスが互換できないという問題を徹底的に解決することはできない。
すなわち、従来のコンピュータアダプターには、なお多くの問題と欠点が存在し、使用において、極めて大きな不便となっている。
【発明の概要】
【発明が解決しようとする課題】
【０００６】
本発明の主要な目のは、自動マッピング更新のコンピュータアダプター内には、ユニバーサルシリアルバス（USB）コネクターを備える周辺装置と接続する周辺インターフェースマイクロプロセッサーチップを設置し、該周辺インターフェースマイクロプロセッサーチップを利用し、周辺装置と接続し、読み取りを行い、或いは周辺装置において、必要データを、USBハブチップを経由し、ユニバーサルシリアルバス（USB）線スイッチチップを経て、コンピュータに伝送する時、監督とプロファイルを行い、周辺装置の構文解析、エニュメレーション、種類、形態、或いは他の必要データを取得し、保存し、さらに周辺装置の必要データをマッピングし、複数のコンピュータインターフェースマイクロプロセッサーチップ内に伝送し、各コンピュータと、相互に接続するコンピュータインターフェースマイクロプロセッサーチップとがエニュメレーションコミュニケーションを行う時、コンピュータインターフェースマイクロプロセッサーチップは、保存した周辺装置の必要データをコンピュータに伝送し、これにより複数の周辺装置は、各コンピュータに直接接続しているかのように、スムーズに操作を行うことができ、このようにして各周辺装置は複数のコンピュータに確実に互換させることができる。
【０００７】
本発明の次の目的は、自動マッピング更新のコンピュータアダプターを再起動する、或いは周辺装置を抜き差しする時には、周辺インターフェースマイクロプロセッサーチップは、再度、周辺装置の必要データを読み取り、保存し、さらに新たに保存した必要データと前回保存した必要データを比較対照し、新旧の必要データの比較対照結果が異なるなら、周辺インターフェースマイクロプロセッサーチップは、各コンピュータインターフェースマイクロプロセッサーチップに対して、マッピング、更新し、これにより各コンピュータは、相互に対応するコンピュータインターフェースマイクロプロセッサーチップに接続する時、コンピュータインターフェースマイクロプロセッサーチップにより、各周辺装置の必要データを知ることができ、すなわち、複数の周辺装置は抜き差しを行っても、交換しても、各コンピュータと確実に互換することができる。
【課題を解決するための手段】
【０００８】
請求項１の発明は、自動マッピング更新のコンピュータアダプターは、ユニバーサルシリアルバス(USB)コネクターを備える複数の周辺装置と複数のコンピュータを接続後に、確実に互換させることができるコンピュータアダプターで、
周辺インターフェースマイクロプロセッサーチップと複数のコンピュータインターフェースマイクロプロセッサーチップを備え、
前記周辺インターフェースマイクロプロセッサーチップは、複数の周辺装置に電気的に接続し、しかも前記周辺インターフェースマイクロプロセッサーチップは、CPUをシミュレートし、複数の周辺装置に対して、完全なUSB標準プロセスコミュニケーションを行った後、前記周辺インターフェースマイクロプロセッサーチップは、周辺装置の必要データを読み取り、保存し、次にマッピングし、前記複数のコンピュータインターフェースマイクロプロセッサーチップに伝送し、コンピュータアダプターを再起動する、或いは周辺装置を抜き差しする時には、前記周辺インターフェースマイクロプロセッサーチップは、再度、周辺装置の必要データを読み取り、保存し、さらに、新旧の必要データを比較対照し、異なる周辺装置の必要データをマッピングし、複数のコンピュータインターフェースマイクロプロセッサーチップに更新し、
前記複数のコンピュータインターフェースマイクロプロセッサーチップと複数のコンピュータのユニバーサルシリアルバス(USB)接続ポートは、それぞれ電気的接続を形成し、しかも前記複数のコンピュータインターフェースマイクロプロセッサーチップは、前記周辺インターフェースマイクロプロセッサーチップが伝送する周辺装置の必要データを受け取った後、前記各コンピュータインターフェースマイクロプロセッサーチップは、周辺装置必要データを、相互に接続する各コンピュータ中に伝送することを特徴とする自動マッピング更新のコンピュータアダプターとしている。
請求項２の発明は、請求項１記載の自動マッピング更新のコンピュータアダプターにおいて、前記周辺装置の必要データは、構文解析、エニュメレーション、種類、形態、或いは他の必要データであることを特徴とする自動マッピング更新のコンピュータアダプターとしている。
請求項３の発明は、自動マッピング更新のコンピュータアダプターは、ユニバーサルシリアルバス(USB)コネクターを備える複数の周辺装置と複数のコンピュータを接続後に、確実に互換させることができるコンピュータアダプターで、
周辺インターフェースマイクロプロセッサーチップ、複数のコンピュータインターフェースマイクロプロセッサーチップ、USBハブチップ、ユニバーサルシリアルバス（USB）線スイッチチップを備え、
前記周辺インターフェースマイクロプロセッサーチップは、USBハブチップに電気的に接続し、しかも前記周辺インターフェースマイクロプロセッサーチップは、USBハブチップが伝送するデータを獲得、プロファイルし、保存後、前記データを前記複数のコンピュータインターフェースマイクロプロセッサーチップに伝送し、
前記複数のコンピュータインターフェースマイクロプロセッサーチップと複数のコンピュータのユニバーサルシリアルバス(USB)接続ポートは、それぞれ電気的接続を形成し、しかも前記複数のコンピュータインターフェースマイクロプロセッサーチップは、前記周辺インターフェースマイクロプロセッサーチップが伝送する周辺装置の必要データを受け取り、保存した後、前記各コンピュータインターフェースマイクロプロセッサーチップは、周辺装置必要データを、相互に接続する各コンピュータ中に伝送し、
前記USBハブチップは複数の周辺装置に電気的に接続し、しかも前記USBハブチップは、複数の周辺装置の必要データを受け取った後、前記ユニバーサルシリアルバス（USB）線スイッチチップ及び前記周辺インターフェースマイクロプロセッサーチップに伝送し、
前記ユニバーサルシリアルバス（USB）線スイッチチップは、前記複数のコンピュータインターフェースマイクロプロセッサーチップに電気的に接続し、しかも前記ユニバーサルシリアルバス（USB）線スイッチチップは、受け取った周辺装置必要データを、予定のコンピュータインターフェースマイクロプロセッサーチップに伝送することを特徴とする自動マッピング更新のコンピュータアダプターとしている。
【発明の効果】
【０００９】
本発明は、周辺インターフェースマイクロプロセッサーチップが、ユニバーサルシリアルバス（USB）コネクターを備える周辺装置の必要データを、読み取り、保存した後、さらに複数のコンピュータインターフェースマイクロプロセッサーチップに伝送し内部に保存し、これにより各コンピュータは接続したコンピュータインターフェースマイクロプロセッサーチップ内より読み取り、複数の周辺装置の必要データを取得することができ、このようにして複数の周辺装置は各コンピュータと確実に互換される。
【図面の簡単な説明】
【００１０】
【図１】本発明の第一実施形態のブロックチャートである。
【図２】本発明の第一実施形態のデータブロックチャートである。
【図３】本発明の第二実施形態のブロックチャートである。
【発明を実施するための形態】
【００１１】
図１は、本発明の第一実施形態のブロックチャートである。図１に示すように、本発明実施形態による自動マッピング更新のコンピュータアダプターは、周辺インターフェースマイクロプロセッサーチップ１を設置し、ユニバーサルシリアルバス(USB)コネクター２１を備える複数の周辺装置２を接続する。
しかも、周辺インターフェースマイクロプロセッサーチップ１は、複数のコンピュータインターフェースマイクロプロセッサーチップ１１に接続する。
その複数のコンピュータインターフェースマイクロプロセッサーチップ１１は、複数のコンピュータ３のユニバーサルシリアルバス（USB）接続ポート３１に対応して接続する。
【００１２】
本発明実施形態による自動マッピング更新のコンピュータアダプターの使用時には、周辺インターフェースマイクロプロセッサーチップ１は、CPUをシミュレートし、コンピュータアダプターが接続する周辺装置２と、完全なUSB標準プロセスコミュニケーションを行い、しかも周辺装置２の構文解析、エニュメレーション、種類、形態、或いは他の必要データを読み取り、保存する。
その後、その周辺装置２の必要データをマッピングし、各コンピュータインターフェースマイクロプロセッサーチップ１１に伝送し、内部に保存する。
これにより各コンピュータ３は、コンピュータインターフェースマイクロプロセッサーチップ１１から、周辺装置２の正確なデータを取得することができ、コンピュータ３が直接、各周辺装置２と接続しているかのように、各周辺装置２の接続操作を行うことができるようになる。
しかも、あらゆる種類、型式、或いは機能の周辺装置２（マウス、キーボード、ジョイスティック、タッチパネル、USBハブチップ、或いは他のUSB接続インターフェースを備える装置）に、互換できないという状況が出現することはない。
【００１３】
コンピュータアダプターを再起動する、或いは周辺装置２を抜き差しする時には、周辺インターフェースマイクロプロセッサーチップ１は、再度、標準プロセスに基づき、周辺装置２に対してコミュニケーションを行い、しかも、周辺装置２の構文解析、エニュメレーション、種類、形態、或いは他の必要データを読み取り、保存する。
さらに、このデータを、前回保存したデータと比較対照する。
相同であるなら、コンピュータインターフェースマイクロプロセッサーチップ１１に対して更新を行わない。
異なるなら、新データを再度マッピングし、各コンピュータインターフェースマイクロプロセッサーチップ１１に保存する。
完成後の各コンピュータインターフェースマイクロプロセッサーチップ１１は、それが接続する各コンピュータ３に対して更新を行い、つまり各コンピュータ３は、周辺インターフェースマイクロプロセッサーチップ１が現在接続する各周辺装置２のデータを知ることができる。
コンピュータインターフェースマイクロプロセッサーチップ１１が、コンピュータ３に未接続、或いはコンピュータ３がスタートアップしていない時には、コンピュータ３がコンピュータインターフェースマイクロプロセッサーチップ１１に接続、或いはコンピュータ３のスタートアップ後に、コンピュータインターフェースマイクロプロセッサーチップ１１は、各周辺装置２のデータをコンピュータ３に対して更新する。
これにより、コンピュータ３は、各周辺装置２とスムーズに接続し、操作を行うことができ、互換できないという問題は発生しない。
【００１４】
図２は、本発明の第一実施形態のデータブロックチャートである。図２に示すように、周辺インターフェースマイクロプロセッサーチップ１は、複数の周辺装置２が読み取る必要データにより、内部データ伝送線を通してマッピングし、コンピュータインターフェースマイクロプロセッサーチップ１１に伝送する。
その必要データは、内部にコンフィグレーションディスクリプター、インターフェースディスクリプター、カテゴリディスクリプター、エンドポイントディスクリプターにより構成するデバイスディスクリプターを含む。
【００１５】
図３は、本発明一実施形態による自動マッピング更新のコンピュータアダプターにおいて、第二実施形態のブロックチャートである。
第二実施形態による自動マッピング更新のコンピュータアダプターは、複数の周辺装置２を接続するユニバーサルシリアルバス(USB)コネクター２１を備える。しかも、ユニバーサルシリアルバス(USB)コネクター２１は、周辺インターフェースマイクロプロセッサーチップ１に電気的に接続する他に、ユニバーサルシリアルバス（USB）線スイッチチップ１３に電気的に接続する。
さらに、周辺インターフェースマイクロプロセッサーチップ１とユニバーサルシリアルバス（USB）線スイッチチップ１３は、それぞれ複数のコンピュータインターフェースマイクロプロセッサーチップ１１に電気的に接続する。
【００１６】
コンピュータアダプターと複数の周辺装置２及びコンピュータ３が接続する時には、先ず、コンピュータ３と複数の周辺装置２を直接コミュニケーションを取らせ、データを伝送する。
周辺装置２のデータは、USBハブチップ１２により、ユニバーサルシリアルバス（USB）線スイッチチップ１３に伝送され、しかもユニバーサルシリアルバス（USB）線スイッチチップ１３は、データを予定のコンピュータインターフェースマイクロプロセッサーチップ１１に伝送する。
これにより、コンピュータインターフェースマイクロプロセッサーチップ１１が接続するコンピュータ３は、複数の周辺装置２の操作を行うことができるようになる。
【００１７】
この時、周辺インターフェースマイクロプロセッサーチップ１は、監督とプロファイルの作業を行い、複数の周辺装置２の構文解析、エニュメレーション、種類、形態、或いは他の必要データに対して保存を行う。
さらに、データ線を通して、複数の周辺装置２の必要データを複数のコンピュータインターフェースマイクロプロセッサーチップ１１に伝送し、保存を行う。
このようにして、各コンピュータインターフェースマイクロプロセッサーチップ１１と複数のコンピュータ３の接続後、コンピュータインターフェースマイクロプロセッサーチップ１１は、複数の周辺装置２の必要データを、対応して接続するコンピュータの伝送する。
これにより各コンピュータ３はみな、相同の複数の周辺装置２必要データを備え、このようにして複数の周辺装置２を利用し、スムーズに複数のコンピュータ３を操作する目的を達成することができる。
【００１８】
上記した周辺インターフェースマイクロプロセッサーチップ１と複数のコンピュータインターフェースマイクロプロセッサーチップ１１は、コンピュータアダプター内部の回路板上に設置可能である他に、半導体チップ内に設計し、特殊応用集積回路(ASIC)或いは商用応用修正回路を形成することもできる。
これにより周辺インターフェースマイクロプロセッサーチップ１と複数のコンピュータインターフェースマイクロプロセッサーチップ１１の体積はコンパクトとなり、組み立て設置が便利となる。
本発明の製品と領域を脱しない範囲内で各種の変動や潤色を加えることができ、したがって本発明の保護範囲は、特許請求の範囲で指定した内容を基準とする。
【００１９】
USBデバイスの普及に従い、ポータブルディスク、外付け式ハードディスク、音楽プレーヤー、携帯電話、マウス、キーボード、或いは他の電子装置等にはみな、USB接続ポートが設置されている。
USBデバイスの長所は、プラグアンドプレイにあり、そのため、コンピュータアダプターに接続する複数のUSBデバイスは、常に抜き差しが可能である。
周辺インターフェースマイクロプロセッサーチップ１は、複数の周辺装置２の構文解析、エニュメレーション、種類、形態、或いは他の必要データに対して保存を行い、各コンピュータ３が接続するコンピュータインターフェースマイクロプロセッサーチップ１１に伝送し、保存を行うため、複数のコンピュータ３は、相同の複数周辺装置２の必要データを受け取ることができる。
このようにして、周辺装置２の抜き差し時に、互換できないという問題の発生を回避することができ、コンピュータアダプター使用時の利便性を向上させることができる。
しかもこれにより、周辺装置２と互換できないために、コンピュータ３がフリーズし、エラー或いは他の状況が発生することを回避し、コンピュータアダプター使用への意欲低下を防止することができる。
【００２０】
上記したコンピュータアダプターは、スイッチ、エクステンダー、アロケーターで、複数の周辺装置２と複数のコンピュータ３に接続する機能を備えれば、それで良く、本発明の特許範囲を限定するものではない。
本発明は、製品と領域を脱しない範囲内で各種の変動や潤色を加えることができ、したがって本発明の保護範囲は、特許請求の範囲で指定した内容を基準とする。
【００２１】
本発明実施形態による自動マッピング更新のコンピュータアダプターには、実際の使用時に以下のような長所を備える。
１．周辺インターフェースマイクロプロセッサーチップ１は、ユニバーサルシリアルバス（USB）コネクター２１の周辺装置２の構文解析、エニュメレーション、種類、形態、或いは他の必要データを直接読み取ることができ、或いは周辺装置２の必要データにおいて、USBハブチップ１２により、ユニバーサルシリアルバス（USB）線スイッチチップ１３を通して、直接コンピュータに連結する時、監督とプロファイルを行い、これにより周辺装置２の必要データは、周辺インターフェースマイクロプロセッサーチップ１内に保存され、さらに周辺装置２の必要データを、複数のコンピュータインターフェースマイクロプロセッサーチップ１１内に伝送し、各コンピュータ３は、コンピュータインターフェースマイクロプロセッサーチップ１１内から、周辺装置２の正確なデータを取得し、これにより、各周辺装置２は、複数のコンピュータ３と直接接続しているかのうように、スムーズに操作を行うことができ、このようにして周辺装置２は、複数のコンピュータ３と確実に互換が可能となる。
２．コンピュータアダプターは、再起動、或いは周辺装置２を抜き差しする時、周辺インターフェースマイクロプロセッサーチップ１は、周辺装置２の必要データを再度読み取り及び保存し、新たに保存した必要データを、前回保存した必要データと比較対照し、２つの必要データが異なるなら、各コンピュータインターフェースマイクロプロセッサーチップ１１に対して、必要データのマッピング更新を行い、これにより各コンピュータ３は、コンピュータインターフェースマイクロプロセッサーチップ１１により、各周辺装置２の必要データを知ることができ、このようにして複数の周辺装置２は、抜き差し、更新後に、各コンピュータ３と確実に互換される。
【００２２】
上記したように、本発明自動マッピング更新のコンピュータアダプターは、周辺インターフェースマイクロプロセッサーチップ１により、複数のユニバーサルシリアルバス（USB）コネクター２１が接続する周辺装置２の必要データを読み取り及び保存し、しかも周辺インターフェースマイクロプロセッサーチップ１は、複数の周辺装置２の必要データを、複数のコンピュータインターフェースマイクロプロセッサーチップ１１内に伝送し、これにより各コンピュータ３は、接続するコンピュータインターフェースマイクロプロセッサーチップ１１内から、複数の周辺装置２の必要データを読み取り、取得し、このようにして複数の周辺装置２は、各コンピュータ３と確実に互換することができる。
【符号の説明】
【００２３】
１  周辺インターフェースマイクロプロセッサーチップ
１１  コンピュータインターフェースマイクロプロセッサーチップ
１２  USBハブチップ
１３  ユニバーサルシリアルバス（USB）線スイッチチップ
２  周辺装置
２１  ユニバーサルシリアルバス（USB）コネクター
３  コンピュータ
３１  ユニバーサルシリアルバス（USB）接続ポート
【図１】
0004858920.tif 000002
【図２】
0004858920.tif 000003
【図３】
0004858920.tif 000004